(57)【要約】【課題】確実かつ簡便に粘着テープを貼着可能なディスペンサを低廉なコストで得る。両面テープの剥離紙を剥がす手間を省く。【解決手段】  テープロールを回転自在に支持するテープ収納部と、テープロールから繰出されたテープを排出するテープ排出部と、テープ排出部に搬送されたテープを切断するカッターとを備えたディスペンサである。テープ収納部からテープ排出部に至るテープの搬送経路上に一対のガイドローラを設け、両面テープ本体は第一ローラの表面に沿ってテープ排出部に向け搬送され、剥離紙は両ローラの対向部で剥離されて剥離紙排出口から外部へ排出される。両ローラは側端に互いに噛合うギアを有する。テープ排出部には、進退動可能で対象物へテープを押付け貼り付けるローラを備える。第二ローラの下面に当接して剥離紙を剥離紙排出口に導くガイド板を有する。【選択図】図８Ｂ
2008001456.tif 000002
【特許請求の範囲】
【請求項１】
粘着テープをロール状に巻いたテープロールを収納し当該テープロールを回転自在に支持するテープ収納部と、
前記テープロールから繰り出された粘着テープを排出するテープ排出部と、
当該テープ排出部に搬送された粘着テープを切断するテープカッターと、
を備え、
前記テープ排出部から引き出された前記粘着テープの排出部分が引っ張られることにより前記粘着テープが前記テープロールから繰り出され、前記テープ排出部に搬送されて前記テープ排出部から排出される粘着テープディスペンサであって、
前記テープ収納部から前記テープ排出部に至る粘着テープの搬送経路上に回転可能に備えられかつ前記テープロールから繰り出された粘着テープがそれらの間に供給されて当該粘着テープが前記テープ排出部に向け搬送されるよう案内する一対のガイドローラを備え、
これら一対のガイドローラのうちの第一ローラは、
前記テープロールから繰り出された粘着テープのテープロール内面側の粘着面がローラ表面に接触するように前記テープロールから粘着テープがローラ表面に供給され、
粘着テープの繰出しに伴い前記テープロールと同一方向に回転することにより前記テープ排出部に向け粘着テープを送り出し、かつ
当該ローラと共に回転するギアを側端部に有する一方、
前記一対のガイドローラのうちの第二ローラは、
前記第一ローラのギアと噛み合って第一ローラの回転力を当該第二ローラに伝達するギアをその側端部に備え、
粘着テープの繰出しに伴い前記第一ローラからの前記回転力を受けて前記第一ローラとは逆方向に回転する
ことを特徴とする粘着テープディスペンサ。
【請求項２】
前記テープ収納部を後部に形成した筐体ケースを備え、
当該筐体ケースの前方上部に、前記ガイドローラを、
当該筐体ケースの前方下部に、前記テープ排出部を、それぞれ配置し、
前記粘着テープが、筐体ケース後部のテープ収納部から前方に向け搬送された後、前記ガイドローラによって搬送方向を下方に向け変更され、前記テープ排出部へ送られる
請求項１に記載の粘着テープディスペンサ。
【請求項３】
前記ガイドローラより前方位置に粘着テープ本体から剥離された剥離シートを排出する剥離シート排出口
をさらに備えた請求項１または２に記載の粘着テープディスペンサ。
【請求項４】
前記第二ローラより前方位置から前記第二ローラの下面部に向け突出し、前記第一ローラと第二ローラとの対向部において粘着テープ本体から剥離された剥離シートを前記剥離シート排出口に導く剥離シート用ガイド板と、
をさらに備え、
前記粘着テープ本体から剥離された剥離シートは、前記剥離シート用ガイド板と前記第二ローラとの間を通って前記剥離シート排出口に搬送される
請求項３に記載の粘着テープディスペンサ。
【請求項５】
前記剥離シート用ガイド板は、その先端部に、
前記第二ローラの表面に当接または近接し、剥離シートが粘着テープ本体と一緒に前記テープ排出部に向け送られることを防ぐ剥離シート押え部
を備える請求項４に記載の粘着テープディスペンサ。
【請求項６】
前記剥離シート押え部は、
当該剥離シート用ガイド板の延在方向先端に向うにつれ、前記第二ローラの表面に当接または近接し、その後、前記第二ローラの表面から離れるように折れ曲がった山折状の形状を有する
請求項５に記載の粘着テープディスペンサ。
【請求項７】
前記剥離シート用ガイド板は、金属または樹脂からなる可撓性を有する板ばねである
請求項４から６のいずれか一項に記載の粘着テープディスペンサ。
【請求項８】
前記剥離シート用ガイド板が、前記第一ローラと第二ローラとの対向点の近傍位置まで達するように延び、
前記剥離シート押え部が、当該第一ローラと第二ローラとの対向点の近傍位置に配置されている
請求項４から７のいずれか一項に記載の粘着テープディスペンサ。
【請求項９】
前記剥離シート用ガイド板は、前記剥離シート押え部から前記剥離シート排出口に向け、上り勾配となるように配置されている
請求項４から８のいずれか一項に記載の粘着テープディスペンサ。
【請求項１０】
前記剥離シート排出口に、剥離シートを切断する切断刃を備えた
請求項３から９のいずれか一項に記載の粘着テープディスペンサ。
【請求項１１】
前記ガイドローラのうち少なくとも前記第一ローラの表面に、難粘着性材料を配した
請求項１から１０のいずれか一項に記載の粘着テープディスペンサ。
【請求項１２】
前記テープ収納部と前記ガイドロールとの間で、かつ、前記テープロールの粘着テープの繰出し点と前記第一ローラ表面のテープ供給点とを結ぶ直線より下方位置に配置され、前記テープロールから繰り出された粘着テープを一旦押し下げ、その後、第一ローラに向け上昇するように前記粘着テープを案内するガイドピン
をさらに備えた請求項１から１１のいずれか一項に記載の粘着テープディスペンサ。
【請求項１３】
前記第一ローラおよび前記第二ローラのうちの少なくとも一方に係合して当該ローラの回転を阻止するストッパをさらに備える
請求項１から１２のいずれか一項に記載の粘着テープディスペンサ。
【請求項１４】
前記ストッパは、
前記第一ローラに備えられたギアまたは前記第二ローラに備えられたギアのいずれか一方または双方と噛み合って当該ローラの回転を阻止するブレーキギアと、
このブレーキギアを前記第一ローラに備えられたギアまたは前記第二ローラに備えられたギアから後退する方向へ付勢する付勢手段と、
この付勢手段の付勢力に抗して前記ブレーキギアを前記第一ローラに備えられたギアまたは前記第二ローラに備えられたギアに向け前進させることが可能な操作部と、
を含む
請求項１３に記載の粘着テープディスペンサ。
【請求項１５】
前記ストッパは、
前記第一ローラまたは前記第二ローラの表面に向け進退動可能に設けられかつ当該ローラの表面または当該ローラの表面に供給された前記粘着テープの表面を押え付けて当該ローラの回転を阻止するブレーキ片と、
このブレーキ片を前記第一ローラまたは前記第二ローラから後退する方向へ付勢する付勢手段と、
この付勢手段の付勢力に抗して前記ブレーキ片を前記第一ローラまたは前記第二ローラに向け前進させることが可能な操作部と、
を含む請求項１３に記載の粘着テープディスペンサ。
【請求項１６】
前記第一ローラおよび前記第二ローラのうちのいずれか一方または双方の両端部に、外方に向け次第にローラの径が大きくなるようなテーパ面を形成した
請求項１から１５のいずれか一項に記載の粘着テープディスペンサ。
【請求項１７】
回転可能に、かつ、前記テープロールから繰り出されて前記ガイドローラを経由した粘着テープが表面に供給され、かつ、前記テープ排出部を貼着対象物に押し付けつつ当該粘着テープディスペンサを当該貼着対象物の表面に沿ってスライドさせることにより当該貼着対象物の表面を転がって前記テープロールから繰り出された粘着テープを貼着対象物に押し付け貼着させる押圧ローラを前記テープ排出部に備え、
前記テープカッターを、当該押圧ローラの前方位置に配置した
請求項１から１６のいずれか一項に記載の粘着テープディスペンサ。
【請求項１８】
前記テープ排出部の前部に、前記テープカッターより前方に突出する突出部を設けた
請求項１７に記載の粘着テープディスペンサ。
【請求項１９】
前記押圧ローラを、貼着対象物に向け進退動可能に備えると共に、
当該押圧ローラを貼着対象物に向け付勢する付勢手段を設け、
これにより前記押圧ローラは、前記貼着対象物に押し付けて粘着テープを貼着するときに後退して当該貼着対象物の表面を転動する一方、当該貼着対象物への押し付け力を除去した場合には前進して元位置に復帰可能である
請求項１７または１８に記載の粘着テープディスペンサ。
【請求項２０】
前記押圧ローラを前記テープ排出部に着脱自在に備え、
これにより、当該押圧ローラを交換可能とした
請求項１７から１９のいずれか一項に記載の粘着テープディスペンサ。
【請求項２１】
前記押圧ローラの周面に粘着材を配した
請求項１７から２０のいずれか一項に記載の粘着テープディスペンサ。
【請求項２２】
前記押圧ローラの周面に、粘着材を配した粘着部と、難粘着材を配した難粘着部とを縞状に交互に配置した
請求項２１に記載の粘着テープディスペンサ。
【発明の詳細な説明】
【技術分野】
【０００１】
本発明は、粘着テープディスペンサに係り、特にテープロールから所望の長さだけ粘着テープを引き出し切断して対象物に貼着可能なカッター器具に関する。
【背景技術】
【０００２】
簡便かつ即座に対象物を固定できる接着手段として粘着テープが今日広く利用されている。例えば事務用品や梱包用具として一般家庭やオフィスなどにおいて、あるいは産業用に例えば電子・電気機器の製造工程において配線基板やモジュール部品を固定するために、あるいは自動車の内装部品を取り付けたり、土木建築現場においてボード類や建材を貼り付けるなど、様々な用途・場面で使用されている。
【０００３】
かかる粘着テープは、樹脂や布、紙などからなるテープ基材の片面または両面に粘着剤を配してなり、一般にロール状に巻いたテープロールとして提供される。また、このようなテープロールを収容すると共に、所望の長さだけテープを引き出して切断することが可能な各種のディスペンサも提供されている（下記特許文献１〜３参照）。
【０００４】
【特許文献１】特開２００５‐１３２６２５号公報
【特許文献２】特開２０００‐３０２３１６号公報
【特許文献３】特開平７‐２５２０１０号公報
【発明の開示】
【発明が解決しようとする課題】
【０００５】
ところで、従来のディスペンサは、テープを対象物に貼着するときの操作性や動作の確実性、またディスペンサ自体の製造コストの点で必ずしも十分であるとは言えず、さらには従来のディスペンサでは使用可能なテープの種類が限定されてしまい（異なる複数種類のテープを同一のディスペンサで使用出来ない）、利便性の点で更なる改良の余地を残している。
【０００６】
具体的には、例えば両面テープを対象としたディスペンサの場合、対象物にテープを貼着することが出来たとしてもその後、テープ本体から剥離シートを剥がす操作が必要となって、作業性が悪い面がある。
【０００７】
この点、上記特許文献に記載のディスペンサでは、剥離シートを剥がす手間を省くためにディスペンサ内で剥離シートを粘着テープ本体から分離する機構を有する。しかしながら、このようなディスペンサ構造によっても、剥離シートの分離や対象物へのテープ本体の貼着について確実な動作が得られるとは限らない。特に、ディスペンサ内におけるテープのスムースな搬送、ディスペンサからのテープのスムースな繰り出し、対象物へのテープの確実な貼着、並びにテープを切断した後にテープの先端部が次の貼着使用に備えて良好な待機位置に配置されること等が必要となる。
【０００８】
またこれらの操作性に加えて、上述のように一般事務用品として提供する場合にも、あるいは産業用に使用するにせよ、より低廉な価格で市場に提供できることが強く望まれる。剥離シートの自動分離機構やテープの切断機構を備えたディスペンサが各種製品化されているものの、現状未だ十分に普及しているとは言えない主な原因のひとつは、製造コストの低減が十分ではない点にあると考えられる。
【０００９】
さらに、従来のディスペンサは、特定一種類のテープしか通常使用することが出来ず、コストの点並びに利便性の点で不利である。例えば、片面テープと両面テープを両方とも使用可能なディスペンサは未だ提供されていない。また、両面テープ専用器具にあっても、両面テープのテープ本体や剥離紙の厚さや硬さ（いわゆる腰の強さ）には様々なものがあり（一般的に市場に提供されているものでも十数種類から数十種類ある）、これら様々に異なる種類のテープを問題なく良好に使用できるディスペンサを構成することは容易ではない。
【００１０】
したがって、本発明の目的は、より確実かつ簡便に対象物に粘着テープを貼着可能な使用利便性に優れた、また製造コストを抑えることが出来る新たなディスペンサ構造を得る点にある。
【課題を解決するための手段】
【００１１】
前記目的を達成して課題を解決するため、本発明に係る第一の粘着テープディスペンサは、粘着テープをロール状に巻いたテープロールを収納し当該テープロールを回転自在に支持するテープ収納部と、前記テープロールから繰り出された粘着テープを排出するテープ排出部と、当該テープ排出部に搬送された粘着テープを切断するテープカッターとを備え、前記テープ排出部から引き出された前記粘着テープの排出部分が引っ張られることにより前記粘着テープが前記テープロールから繰り出され、前記テープ排出部に搬送されて前記テープ排出部から排出される粘着テープディスペンサであって、前記テープ収納部から前記テープ排出部に至る粘着テープの搬送経路上に回転可能に備えられかつ前記テープロールから繰り出された粘着テープがそれらの間に供給されて当該粘着テープが前記テープ排出部に向け搬送されるよう案内する一対のガイドローラを備え、これら一対のガイドローラのうちの第一ローラは、前記テープロールから繰り出された粘着テープのテープロール内面側の粘着面がローラ表面に接触するように前記テープロールから粘着テープがローラ表面に供給され、粘着テープの繰出しに伴い前記テープロールと同一方向に回転することにより前記テープ排出部に向け粘着テープを送り出し、かつ当該ローラと共に回転するギアを側端部に有する一方、前記一対のガイドローラのうちの第二ローラは、前記第一ローラのギアと噛み合って第一ローラの回転力を当該第二ローラに伝達するギアをその側端部に備え、粘着テープの繰出しに伴い前記第一ローラからの前記回転力を受けて前記第一ローラとは逆方向に回転する。
【００１２】
本発明の粘着テープディスペンサでは、粘着テープは、テープ収納部に収納されたテープロールから繰り出され、テープ排出部から引き出されて貼着対象物に貼り付けられる。このテープの繰り出しおよび引き出し動作は、当該テープディスペンサを例えば人が手に持ち、粘着テープの先端部を貼着対象物に押し付けることにより貼着した後、当該粘着テープディスペンサを貼着対象物の表面に沿ってかつ粘着テープを貼り進める方向へスライドさせることにより行うことが出来る。
【００１３】
テープロールが収納されたテープ収納部からテープ排出部に至る粘着テープの搬送経路上には、回転可能に設置した一対のガイドローラを設けてあり、テープ収納部のテープロールから繰り出された粘着テープは、これら一対のガイドローラの間に導入され、案内されてテープ排出部に向け搬送される。
【００１４】
より具体的には、テープロールから繰り出された粘着テープは、テープロール内面側の粘着面（例えば、片面に粘着剤を備えた片面テープの場合には粘着面、両面粘着テープの場合には剥離シートに覆われていない粘着面）がローラ表面に接触するように（第一ローラの表面に対向するように）第一ローラに供給される。そして、粘着テープの移動（繰出し動作）に伴い、粘着テープの粘着面からの力を受けてテープロールと同一方向に回転し、これにより当該粘着テープのテープ排出部に向けた搬送を許容する。
【００１５】
第一ローラは、その側端部に、当該ローラと共に回転するギアを側端部に有する。また、第二ローラにも同様に側端部にギアを設けてあり、これら第一ローラと第二ローラの各ギアは互いに噛み合っている。したがって、第一ローラの回転力は、第一ローラ側端部のギアおよび第二ローラ側端部のギアを介して第二ローラに伝達され、これにより第二ローラが回転する。尚、第二ローラは、第一ローラとは逆方向に回転する。
【００１６】
上記各ギアは、各ローラの一側端部（片側）にのみ設けても良いが、両側端部（両側）に設けることが、各ローラの回転並びにテープの搬送を確実かつスムースにし、また後に述べるギア式のストッパ（ブレーキギア）によりローラの回転を阻止してテープを切断するときにテープの不用意な繰り出しをより確実に防ぐ点から好ましい。
【００１７】
尚、本発明では、第二ローラも粘着テープ（粘着面とは反対側の非粘着面、あるいは両面粘着テープの場合には第一ローラに接する面とは反対側のテープ面）から回転力を受けることがあり（例えば片面粘着テープでも両ローラの間隔を狭くすれば、これらローラ間に挟持される粘着テープから第二ローラも回転力を受ける。また両面粘着テープにあっては第二ローラも粘着面によって回転力を受ける）、本発明はこのような構造を排除するものではない。
【００１８】
また、本発明のディスペンサでは、テープ排出部に搬送され、あるいはテープ排出部から排出された粘着テープを切断するテープカッターを設けてある。このテープカッターは、典型的には、テープ排出部よりディスペンサの前方側でかつテープ排出部の近傍位置に配置する。テープカッターは、これに限定されるわけではないが、例えばテープ排出部から引き出された粘着テープに向け突出する切断刃を含むものとすることができ、所望の長さだけテープを引き出して対象物にテープを貼り付けた後、当該切断刃を粘着テープに押し当ててこれを使用してテープを切断することが可能である。
【００１９】
尚、本出願では、粘着テープ貼着時のテープディスペンサの進行方向（粘着テープを貼り進める方向／後に述べる図１，図８Ａの矢印Ｘ２参照）を「後（うしろ）」、テープ排出部から排出されて貼着対象物に貼り付けられた粘着テープの先端方向（図１，図８Ａの矢印Ｘ１参照）を「前（まえ）」、これら前方および後方（粘着テープの貼着方向、または貼着対象物に貼着された粘着テープの延在方向／長さ方向）に直交する方向を「左右」方向（貼着対象物に貼着された粘着テープの幅方向／図１の矢印Ｙ１，Ｙ２参照）として、説明を行う。
【００２０】
本発明のディスペンサでは、テープ収納部を後部に形成した筐体ケースを備え、当該筐体ケースの前方上部に、上記ガイドローラを、当該筐体ケースの前方下部に、上記テープ排出部をそれぞれ配置し、粘着テープが、筐体ケース後部のテープ収納部から前方に向け搬送された後、上記ガイドローラによって搬送方向を下方に向け変更され、上記テープ排出部へ送られるように構成することが望ましい。
【００２１】
また、ガイドローラより前方位置に粘着テープ本体から剥離された剥離シートを排出する剥離シート排出口を設けることがある。両面粘着テープ用（または片面テープ・両面テープ兼用）のディスペンサを構成するためである。
【００２２】
このようなディスペンサ構造では、テープ収納部に収納されたテープロールから繰り出された両面粘着テープは、上記ガイドローラ部分（第一ローラと第二ローラの対向部）において粘着テープ本体と剥離シートとが分離され、粘着テープ本体は上記第一ローラの表面に沿ってディスペンサ（筐体ケース）前方下部のテープ排出部に向け搬送されて当該テープ排出部から排出される一方、剥離シートは第二ローラの表面に沿って進行し、上記剥離シート排出口に向け搬送されて当該剥離シート排出口から排出される。
【００２３】
かかるディスペンサ構造によれば、テープ収納部に両面粘着テープを装填し、剥離シートを剥離しつつ両面テープ本体を対象物に貼着することができ、剥離シートを剥がす手間を省くことが可能となる。
【００２４】
さらにこのようなディスペンサにおいて、第二ローラより前方位置から第二ローラの下面部に向け突出し、第一ローラと第二ローラとの対向部において粘着テープ本体から剥離された剥離シートを上記剥離シート排出口に導く剥離シート用ガイド板とをさらに設け、粘着テープ本体から剥離された剥離シートが、上記剥離シート用ガイド板と第二ローラとの間を通って上記剥離シート排出口に搬送されるよう構成しても良い。
【００２５】
かかる構造によれば、粘着テープ本体から剥離された剥離シートを、剥離シート用ガイド板と、上記回転する第二ローラとによってスムースに剥離シート排出口に送り、ディスペンサの外部へと排出させることが出来る。
【００２６】
また、粘着テープ本体からの剥離シートの剥離、並びにディスペンサからの排出をより安定させるため、上記剥離シート用ガイド板の構造として次のような構成を採ることも可能である。
【００２７】
第一に、ガイド板の先端部に、第二ローラの表面に当接または近接し、剥離シートが粘着テープ本体と一緒にテープ排出部に向け送られることを防ぐ剥離シート押え部を備えるようにする。第二に、当該剥離シート押え部が、当該剥離シート用ガイド板の延在方向先端に向うにつれ、第二ローラの表面に当接または近接し、その後、第二ローラの表面から離れるように折れ曲がった山折状の形状を有するようにする。
【００２８】
第三に、剥離シート用ガイド板を、金属または樹脂からなる可撓性を有する板ばねにより形成する。かかる板ばねは、ディスペンサの筐体ケースと別部材として構成しても良いが、当該ディスペンサの筐体ケースと一体に成形することも可能である。尚、本発明において筐体ケースの材質は、典型的には樹脂であるが、他の材料、例えば金属等を使用することも出来る。
【００２９】
第四に、剥離シート用ガイド板が、第一ローラと第二ローラとの対向点の近傍位置まで達するように延び、上記剥離シート押え部が、当該第一ローラと第二ローラとの対向点の近傍位置に配置されるようにしても良い。第五に、剥離シート用ガイド板が、剥離シート押え部から剥離シート排出口に向け、上り勾配となるように配置する。
【００３０】
剥離シート排出口には、剥離シートを切断する切断刃を備えても良い。
【００３１】
また、上記ガイドローラのうち少なくとも第一ローラの表面には、難粘着性材料（ローラへの粘着テープの粘着を防止する粘着防止層）を配することが望ましい。ガイドローラに粘着テープが付着し、テープのスムースな搬送を妨げることを防ぐためである。
【００３２】
さらに、本発明のディスペンサでは、テープ収納部とガイドロールとの間に、粘着テープを案内するガイドピンを設けても良い。このガイドピンは、テープロールの粘着テープの繰出し点と第一ローラ表面のテープ供給点とを結ぶ直線より下方位置に配置し、テープロールから繰り出された粘着テープを一旦押し下げ、その後、第一ローラに向け上昇するように粘着テープを案内する。
【００３３】
このようなガイドピンを設ける構造は、本発明者が多数の試作品を作製して試行錯誤する中で見出しもので、特に、使用する粘着テープが柔軟な両面テープである場合に、このようなガイドピンを設けると、剥離シートの剥離を容易にすることが可能となる。尚、使用する粘着テープが比較的硬質の（いわゆる腰のある）テープである場合には、かかるガイドピンを通過させることなく、ダイレクトに（直接）テープロールから上記第一ローラへテープが送られるようにしても剥離シートの剥離が良好に行われる。したがって、このようなガイドピンをディスペンサに設けておけば、例えば、柔軟なテープから硬質のテープまでテープの硬さが異なる複数種類の両面テープを使用可能なディスペンサを構成することが出来る。
【００３４】
上記本発明のディスペンサでは、第一ローラおよび第二ローラのうちの少なくとも一方に係合して当該ローラの回転を阻止するストッパをさらに設けることが好ましい。
【００３５】
前記テープカッターにより粘着テープを切断するときに、ディスペンサから粘着テープが不用意に引き出されることを防ぎ、当該テープカッターによって粘着テープをより確実に切断可能とするためである。
【００３６】
かかるストッパは、例えば、第一ローラに備えられたギアまたは第二ローラに備えられたギアのいずれか一方または双方と噛み合って当該ローラの回転を阻止するブレーキギアと、このブレーキギアを第一ローラに備えられたギアまたは第二ローラに備えられたギアから後退する方向へ付勢する付勢手段と、この付勢手段の付勢力に抗してブレーキギアを第一ローラに備えられたギアまたは第二ローラに備えられたギアに向け前進させることが可能な操作部とを含むことがある。
【００３７】
このようなストッパ構造によれば、ブレーキギアを第一ローラおよび第二ローラのいずれか一方または双方に噛み合わせることで、ローラの回転を確実に止めて粘着テープの切断時にその引き出しを阻止することが出来る。
【００３８】
また、上記ストッパは、第一ローラまたは第二ローラの表面に向け進退動可能に設けられかつ当該ローラの表面または当該ローラの表面に供給された粘着テープの表面を押え付けて当該ローラの回転を阻止するブレーキ片と、このブレーキ片を第一ローラまたは第二ローラから後退する方向へ付勢する付勢手段と、この付勢手段の付勢力に抗してブレーキ片を第一ローラまたは第二ローラに向け前進させることが可能な操作部とを含むように構成しても良い。
【００３９】
このようなストッパを備えれば、操作部を操作することによりブレーキ片を第一ローラまたは第二ローラ（または当該ローラの表面に供給された粘着テープの表面）に押し付けてローラの回転を阻止し、テープ排出部から粘着テープが不用意に引き出されることを防ぐことが出来る。ブレーキ片は、ローラの回転をより確実に防ぐため、例えばゴムのような滑り摩擦の大きな材料により構成することが望ましい。
【００４０】
第一ローラと第二ローラのうちのいずれか一方または双方の両端部には、外方に向け次第にローラの径が大きくなるようなテーパ面を形成しても良い。
【００４１】
ローラを通って搬送される粘着テープがローラの軸方向にずれてローラから脱落するのを防ぐためである。同様の目的は、単純に例えばフランジ状（鍔状）のリング部をローラの側端部に設ける等の構造によっても達成することは出来るが、このような構造によると当該フランジ（リング部）に粘着テープの側縁部が当たって粘着テープの縁が傷ついたり折れ曲がるような不具合が生じる可能性がある。これに対し、上記のようにローラの側端部にテーパ面を形成すれば、このような問題を回避することが出来る。
【００４２】
また、上記本発明のディスペンサでは、回転可能に、かつ、テープロールから繰り出されてガイドローラを経由した粘着テープが表面に供給され、かつ、テープ排出部を貼着対象物に押し付けつつ当該ディスペンサを貼着対象物の表面に沿ってスライドさせることにより貼着対象物の表面を転がってテープロールから繰り出された粘着テープを貼着対象物に押し付け貼着させる押圧ローラをテープ排出部に備え、テープカッターを、当該押圧ローラの前方位置に配置することが好ましい。
【００４３】
貼着対象物の表面を転がり走行する押圧ローラの表面に粘着テープを供給することで、対象物へのテープの貼着をスムースに行い、さらにこの押圧ローラの前方にテープカッターを設けることで、ディスペンサを前方に倒して（傾けて）当該テープカッターをテープに押し付けこれによりテープを容易に切断可能とするためである。
【００４４】
また、テープ排出部の前部に、テープカッターより前方に突出する突出部を設けても良い。このような突出部を形成すれば、上記のようにディスペンサを前方に傾けてテープカッターによりテープを切断するときに、テープカッターの刃が貼着対象物に誤って当たってこれを傷つけるようなアクシデントを防ぐことが出来る。
【００４５】
さらに、上記押圧ローラは、貼着対象物に向け進退動可能に備えると共に、当該押圧ローラを貼着対象物に向け付勢する付勢手段を設け、これにより押圧ローラが、貼着対象物に押し付けて粘着テープを貼着するときに後退して当該貼着対象物の表面を転動する一方、当該貼着対象物への押し付け力を除去した場合には前進して元位置に復帰可能に設置することが望ましい。
【００４６】
本発明者は、従来のテープディスペンサや本発明を行うにあたって作製した様々な構造のディスペンサを検討したところ、押圧ローラによって貼着対象物にテープを貼り上記テープカッターによってテープを切断してテープを貼り終えた場合に、テープカッターやその周辺部に粘着テープの先端部が付着し（両面粘着テープの場合には特に）、次にテープを貼着するときにテープの先端部が折れ曲がったり、テープの先端部がスムースに貼着対象物に貼り付かない等の不都合が生じることがあった。これに対し、上記のように押圧ローラが進退動する構造とすれば、貼り終わった後に、より確実に押圧ローラに粘着テープの先端部を位置せしめることができ、次にテープを使用するときに容易かつより確実に対象物にテープの先端部を粘着させてテープを貼ることが出来るようになる。これは、次のような作用によるものと考えられる。
【００４７】
まず、テープの貼着・切断を行う場合には、例えば対象物に所定の長さテープを貼り付けた後、テープの切断を行うには、ディスペンサを前方に傾けて押圧ローラの前方に配されたテープカッターをテープに押し付けると共に、ディスペンサ自体に後方へ引っ張る力を加えるが、このとき、押圧ローラは貼着対象物の表面から離れて浮くこととなり、付勢力によって初期位置（元位置）に向け進行する。
【００４８】
しかしながら、テープ排出部から排出されたテープ部分は対象物に既に貼着固定され、かつ、ディスペンサからのテープの繰り出しはストッパにより停止され、さらにディスペンサが後方へ引っ張られているから、テープ排出部にあり緊張状態にあるテープによって押圧ローラは後退方向に押え付けられ、完全には初期位置に復帰せず、元位置と最大進行した位置との間に留まっている。
【００４９】
ところが、テープがテープカッターによって切断されると、対象物に既に貼着固定されたテープ部分が切り離されるから、上記テープの緊張状態が解除され、押圧ローラを押え付けていた力が無くなり、押圧ローラが進行して元位置に復帰する。このため、押圧ローラの前方に設けたテープカッター（この位置でテープが切断される）からテープ先端が引き離され、押圧ローラに引き戻される。これにより、押圧ローラにテープの先端部が位置せしめられることとなり、次回、テープを貼るときに、突出した押圧ローラを貼着対象物に押し付けるだけで当該対象物にテープの先端部が貼り付け、貼着操作を容易に行うことが出来る。
【００５０】
上記押圧ローラは、テープ排出部に着脱自在に備え、これにより当該押圧ローラを交換可能としても良い。
【００５１】
このように押圧ローラを交換可能とすれば、収納し使用する粘着テープに合わせてより良好に対象物への貼着が可能な押圧ローラを選択することが出来る。例えば、押圧ローラの周面に粘着材を配し、このような押圧ローラを装着可能とすれば、テープ収納部（ディスペンサ）に片面粘着テープを収納して使用する場合に、上記のようにテープを貼り終えて切断し、押圧ローラにテープの先端部が引き戻された場合にも当該テープの先端部が押圧ローラの表面に配された粘着材によって押圧ローラの表面に保持され、次回にテープの貼着作業を行う場合に押圧ローラを押し付けるだけで対象物に容易にテープ先端部を係止させ、テープの貼着を行うことが可能となる。
【００５２】
尚、両面粘着テープの場合には、テープの上面（貼着対象物に対向する面とは逆の面）にも粘着剤が備えられているから、上記のようにテープを貼り終えて切断し、押圧ローラにテープの先端部が引き戻された場合にも当該テープの先端部が当該粘着剤によって押圧ローラの表面に係止される。
【００５３】
上記押圧ローラ表面への粘着材の配置方法・配置構造は、例えば、ローラの表面に粘着剤を塗布し、あるいはシート状の粘着材を貼付するなど、その構造・方法は特に問わない。ただし、押圧ローラへのテープ先端部の粘着（係止）を抑え、過度に押圧ローラにテープが付着して貼着対象物へのテープの貼着を妨げることがないように、例えば、押圧ローラの周面に、粘着材を配した粘着部と、難粘着材を配した難粘着部とを縞状に交互に配置した構造としても良い。
【００５４】
また、既に述べたように、粘着テープの粘着面が接触される第一ローラの表面には、難粘着性材料を配することが望ましいが、同様に、押圧ローラの表面（両面テープ用のディスペンサ又は押圧ローラを構成する場合）にも、当該押圧ローラの表面に、難粘着性材料（粘着防止層）を配することが好ましい。押圧ローラへの粘着テープの強固な付着を防ぎ、粘着テープを貼着対象物へスムースに貼り付けるためである。この押圧ローラおよび前記ガイドローラに配する難粘着性材料（粘着防止層）は、例えばシリコンやテフロン（商標）、フッ素を主材料として構成することが出来る。また、当該粘着防止層は、ローラの表面のみに形成しても良いし、ローラ自体（ローラ全体）をこのような粘着剤が付着し難い材料により構成しても構わない。
【００５５】
本発明において、粘着テープの種類（テープ基材および粘着剤の材料、テープの幅寸法、片面粘着か両面粘着か、剥離シート有無（剥離シートを有さない両面テープでも良い）等）は特に問わない。また、本発明によれば、片面に粘着剤を備えた片面粘着テープ（例えばセロハンテープ）、並びに両面に粘着剤を備えた両面粘着テープの両方を装填・使用可能なディスペンサを構成することが出来る。さらに、本発明のディスペンサの使用態様は、典型的には人が手に持って操作する態様であるが、これに限られず、例えばロボットアームの先端に本発明に係るディスペンサを装着して人間以外の機械等が粘着テープの貼着を行うような使用態様を採ることも可能である。
【発明の効果】
【００５６】
本発明によれば、簡便かつより確実に対象物に粘着テープを貼着可能な使用利便性に優れたディスペンサを低コストで提供することが出来る。
【００５７】
本発明の他の目的、特徴および利点は、図面に基づいて述べる以下の本発明の実施の形態の説明により明らかにする。尚、各図中、同一の符号は、同一又は相当部分を示す。
【発明を実施するための最良の形態】
【００５８】
図１から図８Ｃは、本発明の一実施形態に係るテープディスペンサを示すもので、これらの図に示すようにこのテープディスペンサ１１は、片面粘着テープおよび両面粘着テープのいずれをも装填可能で使用できる片面・両面テープ兼用のディスペンサである。
【００５９】
具体的には、樹脂製の筐体ケース１２の一端部（後部）にテープロール１を回転自在に支持し収納するテープ収納部１３を形成し、当該筐体ケース１２の他端部（前部）にテープロール１から繰り出した両面粘着テープ２から剥離紙２ｂを分離し、テープ本体２ａのみを対象物５に所望の長さだけ貼着するためのテープ送出・切断機構を備える。尚、片面のみに粘着剤を備えた片面テープをテープ収納部１３に装填し使用する場合には、当該テープは剥離紙を備えていないから、当該テープのみが上記テープ本体２ａと同様の経路を通って対象物に貼着されるようにすれば良い。
【００６０】
テープ収納部１３には、筐体ケース１２内に略水平に延在するロール支持軸１４を設けてあり、このロール支持軸１４に回転自在に支持されるテープロール１の回転をスムースにするために、ケース１２の内壁面とテープロール１との間（テープロール１の両側部）に、滑り摩擦の小さな材料（例えば硬質の樹脂）からなるワッシャ１５を設けている。
【００６１】
本実施形態のディスペンサで使用可能な両面粘着テープ２は、樹脂や紙などからなるテープ基材の両面に粘着剤を配し、一方の粘着面を覆う剥離紙２ｂを設けてなり、上記テープロール１は当該粘着テープ２をロール状に巻いたものである。このテープロール１としては、現在市場に提供されている様々なテープロールを対象とすることが出来る。尚、上記テープ収納部１３やロール支持軸１４の大きさ・径寸法は、対象とするテープロールの種類（大きさ）に対応したものとすれば良い。
【００６２】
また、例えば上記ワッシャ１５の装着の有無やワッシャ１５の肉厚寸法を調整する（異なる肉厚寸法の複数種類のワッシャを用意する）ことにより、一つの筐体ケースで幅寸法が様々に異なるテープに対応可能とすることも出来る。
【００６３】
テープロール１からのテープ２の引出し位置は筐体ケース１２（テープ収納部１３）の上部位置とし、ケース１２内を前方に向って斜め下方にテープロール１からテープ２が繰り出されるようにする。
【００６４】
〔ガイドローラ〕
ケース前方の上部位置には、テープロール１から繰り出され搬送されてきたテープ２をテープ本体２ａと剥離紙２ｂとに分離し、テープ本体２ａをケース前方下部に設けたテープ排出口６１（後述する）に向け、また剥離紙２ｂを剥離紙排出口４２（後述する）に向けそれぞれ送り出すガイドローラ２１，３１を設けてある。
【００６５】
このガイドローラ２１，３１は、互いに近接して配置した２つの（一対の）ローラである第一ローラ２１と第二ローラ３１とからなり、第一ローラ２１はテープロール１（テープ収納部１３）の前方にテープロール１と一定の間隔を隔てて支持軸２４により回転自在に筐体ケース１２に支持する。一方、第二ローラ３１は、第一ローラ２１の前方側斜め上方位置に、同様に支持軸３４により回転自在に筐体ケース１２に支持する。また、第一ローラ２１と第二ローラ３１との間には、粘着テープ２が通過可能な間隙を形成する。
【００６６】
尚、第一および第二の各ローラ２１，３１がテープロール１から搬送されてくるテープ２を表面に受け、回転することによりテープ本体２ａおよび剥離紙２ｂをそれぞれ送ることが出来るように、各ローラの支持軸２４，３４は、テープ２の幅方向（ケース１２の左右方向／図１のＹ１‐Ｙ２軸方向）に延在するようケース１２内に略水平に設置する。
【００６７】
第一ローラ２１の左右両側端部と、第二ローラ３１の左右両側端部には、それぞれギア２３，３３を設け、これら第一ローラ２１のギア２３と第二ローラ３１のギア３３とはそれぞれ左右両端部において互いに噛み合っている。また、第一ローラ２１の表面（ガイドローラ本体部２２）には、ローラ表面への粘着テープ２の強固な粘着を防ぎ、テープ２の搬送をスムースに行うために、シリコンからなる表面層を設ける。尚、例えば剥離紙を備えていない両面粘着テープを使用する場合に備えて、第二ローラ３１（ローラ本体部３２）の表面にも第一ローラ２１と同様にシリコン表面層を設けても良い。
【００６８】
また、第一および第二の各ローラ２１，３１の左右両側部（上記ギア２３，３３の内側）には、図１０に示すように、ローラ２１，３１の側端部から中央部に向け下り勾配となるようなテーパ面２５をそれぞれ形成しても良い。ローラ２１，３１の表面に沿って搬送される粘着テープ２がローラ２１，３１の軸方向にずれてローラ２１，３１から脱落するのを防ぐためである。また、このようなテーパ面（斜面）２５を形成すれば、テープ２の側縁がギア２３，３３に当たって折れ曲がったり、ギア２３，３３に粘着剤が付着してギア２３，３３の回転が妨げられるような問題が生じることを防ぐことも出来る。
【００６９】
〔ガイドピン〕
テープロール１（テープ収納部１３）とガイドローラ２１，３１との間（第一ローラ２１の後方位置）には、丸棒状のガイドピン８０を設ける。このガイドピン８０は、テープロール１の上面部（当該ガイドピン８０の下面にテープ２を通さず、第一ローラ２１に直接テープ２を掛け渡した場合におけるテープローラ１からのテープ２の繰出し点）と、第一ローラ２１の上面部とを結ぶ直線より下方位置に配置することで、テープロール１から繰り出されたテープ２を一旦下方へ押し下げ、その後、第一ローラ２１に向けテープ２を上昇させる機能を果たす。
【００７０】
このようなガイドピン８０を設ければ、特に柔軟な両面テープ（例えば、肉厚が薄いテープや、剥離紙やテープ本体が柔らかく腰が無いようなテープ）を使用する場合に、剥離ポイント（第一ローラ２１と第二ローラ３１の対向部）においてテープ本体２ａから剥離紙２ｂをより一層剥離しやすくすることが出来る。
【００７１】
尚、テープ収納部１３に収納するテープ２が比較的硬質の両面テープの場合には、ガイドピン８０の下面を通さずにテープロール１から第一ローラ２１に直接テープ２を架け渡してテープ２を送るようにしても良好に剥離を行うことが出来ることを、上記柔軟なテープの場合にガイドピン８０の下面を通すことにより剥離が良好に行われることと共に本発明者は実験により確認しており、本実施形態のディスペンサはこのような種類の異なるテープに柔軟に対応することが可能である。剥離の必要がない片面テープを使用する場合にはガイドピン８０を使用しなくても良い。また、かかるガイドピン８０に代えて、テープ２の進行に伴って回転するローラを設けても同様の目的を達成することが出来る。
【００７２】
〔剥離紙排出口および剥離紙ガイド板〕
第二ローラ３１の前方位置には、筐体ケース１２に開口を設けることにより、第二ローラ３１の下面を通って送られて来る剥離紙２ｂをケース外に排出する剥離紙排出口４２を形成する。この排出口４２の下部には、剥離紙２ｂを当該排出口４２に導くガイド板８１を設ける。このガイド板８１は、例えば金属製の板ばねからなり、可撓性（弾力性）を有し、排出口４２の下部の壁面から第二ローラ３１の下面部に向け延びてその先端部を第二ローラ３１（ローラ本体部３２）の下面に当接する一方、ガイド板８１と第二ローラ３１（ローラ本体部３２）との間に剥離紙２ｂが通過することを許容する。
【００７３】
このガイド板８１の最先端部は、剥離紙２ｂが第二ローラ３１と当該ガイド板８１と間に良好に引き込まれるよう、第二ローラ３１の表面（第二ローラ３１への当接部分）から捲れ上がるようにした折返し部８１ａを設けてあり（図４参照）、剥離紙２ｂは、この折返し部８１ａと第二ローラ３１の表面によって形成される楔状の空間に送り込まれ、ガイド板８１の先端に引っ掛かるようなことなく、剥離紙排出口４２に向け送られる。
【００７４】
尚、ガイド板８１は、テープ２を装填していない状態で第二ローラ３１に当接するように設置する必要は必ずしもない。例えば、テープ２の肉厚寸法に合わせて（例えばテープ２が厚い場合等）第二ローラ３１に当接させること無く、多少の隙間が予め形成されるように設けても良い。また、ガイド板８１を樹脂により形成し、筐体ケース１２と一体成形することも可能である。
【００７５】
さらに、剥離紙排出口４２の上部には剥離紙２ｂを切断するためのカッター刃４３を設ける。このカッター刃４３は、筐体ケース１２と一体成形しても、あるいは別部材として構成して筐体ケース１２に取り付けるようにしても構わない。カッター刃４３は、例えば樹脂や金属により構成することが出来る。尚、剥離紙２ｂを切断するときには、ストッパ５１（後に述べる）によってテープ２（剥離紙２ｂ）の搬送を止めて行えば、切断操作が容易となる。
【００７６】
さらに、ガイド板８１は、図示の例より長くして、その先端が剥離ポイント（第一ローラ２１と第二ローラ３１との対向部）の近傍位置まで到達するようにしても良い。このようなガイド板によれば、剥離紙２ｂがテープ本体２ａに引きずられて第一ローラ２１側に送られてしまうような不具合の発生をより完全に防ぎ、剥離紙２ｂの剥離をより良好に行うことが出来る。
【００７７】
〔ガイドローラ部におけるテープの搬送〕
ディスペンサ１１の前方に向けテープロール１から繰り出された粘着テープ２は、図４および図５において二点差線で、また図８Ａから図８Ｃに示すように、まず、ガイドピン８０の下面を通過することにより一旦押し下げられた後、再び上昇して第一ローラ２１（ガイドローラ本体部２２）の表面に搬送される。第一ローラ２１の表面に到達したテープ２は、当該第一ローラ２１の表面（ガイドローラ本体部２２）に沿って回転して第一ローラ２１と第二ローラ３１との間の間隙（両ローラ２１，３１の対向部／剥離ポイント）に引き込まれる。そして、この両ローラ２１，３１の対向部を通過するに伴い、テープ本体２ａはそのまま第一ローラ２１の表面に沿って進行して筐体ケース１２の下方（テープ排出口６１）に向け送られる一方、剥離紙２ｂは第二ローラ３１の回転によって当該第二ローラ３１とガイド板８１との間に引き込まれ、剥離紙排出口４２に送られる。
【００７８】
〔ストッパ〕
筐体ケース１２の前方上部には、ガイドローラ２１，３１の回転を停止させるストッパ５１を設ける。このストッパ５１は、後に説明するように対象物５への貼着を行ったテープ本体２ａをケース前方下端部に設けたテープカッター７１によって切断するときにテープ２が不用意に引き出されることを防ぐもので、図４ないし図５に拡大して示すように、第二ローラ３１の両端部に設けたギア３３に噛み合うストッパギア５２と、このストッパギア５２を第二ローラ３１に向け進退動させるため揺動（回動）するレバー５３と、このレバー５３を揺動（回動）させる操作ボタン５４と、ストッパギア５２を第二ローラ３１から遠ざける方向にレバー５３を付勢するコイルバネ５５とを有する。
【００７９】
レバー５３は、第二ローラ３１の支持軸３４に略平行な（ディスペンサ１１の左右方向に略水平な）軸５６を中心に揺動（回動）可能に筐体ケース１２に支持してあり、一端部（前端側）に上記ストッパギア５２を備え、他端部（後端側）に上記コイルバネ５５を有する。操作ボタン５４は、筐体ケース１２の上面から突出し、図５に示すように筐体ケース１２の上面側からこれを押さえてレバー５３を揺動させることが出来る。
【００８０】
ガイドローラ２１，３１の回転（粘着テープ２の搬送）を止めるには、コイルバネ５５の付勢力に抗して操作ボタン５４をケース１２内に押し込むように押圧すれば良く、これによりレバー５３が回動し、ストッパギア５２が第二ローラ３１のギア３３と噛み合って第二ローラ３１の回転が阻止され、同時に第二ローラ３１と噛み合っている第一ローラ２１の回転も阻止される。一方、操作ボタン５４の押圧力を除去すれば、コイルバネ５５の付勢力によりレバー５３が回動して元位置に復帰し、ストッパギア５２は第二ローラ３１のギア３３から離れて第二ローラ３１は（したがって第一ローラ２１も）自由に回転できるようになる。
【００８１】
ストッパ５１は、このほかにも様々な構造を採ることが可能である。例えば第一ローラ２１のギア２３と第二ローラ３１のギア３３の双方に噛み合うストッパギアを設けたり、あるいは、例えばゴム等の滑り抵抗の大きな材料からなり第二ローラ３１のローラ本体部３２の表面に当接して当該ローラ３１の回転を阻止するブレーキ片をレバー５３に設けてこれによりローラ２１，３１の回転を停止可能とする等である。
【００８２】
〔テープ排出口および押圧ローラ〕
筐体ケース１２内の前方下部位置には、粘着テープ本体２ａを筐体ケース１２の外部へ導き出して貼着対象物５へテープ本体２ａを貼り付けることを可能とするテープ排出口６１を設け、このテープ排出口６１から突出するように押圧ローラ６２を設ける。この押圧ローラ６２は、貼着対象物５の表面に押し付けてケース１２を後方へスライドさせることにより当該貼着対象物５の表面を転がって走行するローラ本体６３と、このローラ本体６３を回転可能にかつ上下方向（貼着対象物５の表面に対して略垂直な方向）に進退動可能に支持するローラ支持部６４と、このローラ支持部６４を下方へ（テープ排出口６１に向って）付勢するコイルバネ６５とを有し、コイルバネ６５による付勢力に抗してディスペンサ１１のテープ排出口部分（ローラ本体６３）を貼着対象物５に押し付けると当該ローラ本体６３は上方へ引っ込む一方、当該押し付け力を取り除くとコイルバネ６５の付勢力により下方に飛び出す。
【００８３】
ローラ本体６３は、略水平でかつディスペンサ１１の左右方向に延びる軸を中心に回転可能に支持してあり、その表面には、前記ガイドローラと同様にシリコン層を形成してある。また、ローラ支持部６４の上部は、筐体ケース１２の内壁面に一定の間隔を隔てて設けた一対の突条６６により形成される凹溝内に収容され、これによりローラ支持部６４が当該凹溝に沿って上下動することが出来る。また、このローラ支持部６４の前面上部には、前方に突出する係止突起６４ａを設けると共に、押圧ローラ６２の突出（下方への進行）状態において当該係止突起６４ａが当接して押圧ローラ６２のそれ以上の下方移動を停止するストッパ突起６６ａを上記突条６６の下端部に設けてある。
【００８４】
〔テープカッター〕
テープ排出口６１の前端部には、当該テープ排出口６１から引き出されたテープ本体２ａを切断するためのテープカッター（切断刃）７１を設けてある。このテープカッター７１は、前記剥離紙用のカッター刃４３と同様に樹脂ケース１２と一体成形しても良いし、別部材として例えば金属等により形成して取り付けても構わない。図７は当該テープカッター７１の取付け部分を拡大して示すものである。このテープカッター７１は、のこぎり状の刃先を有し、この刃先をテープ排出口６１から引き出されたテープ本体２ａの表面に押し付け突き刺してテープ本体２ａを切断することが出来る。
【００８５】
また、上記筐体ケース１２のテープ排出口部分には、テープカッター７１および押圧ローラ６２のいずれか一方または双方を覆うカバー（図示せず）を設けても良い。ディスペンサ１１を使用しないときに、ローラ本体６３上に残った粘着テープ２ａの先端部や、テープカッター７１を保護し、粘着テープ２ａが乾いたり不用意に他のものに付着したりテープカッター７１が他のものを傷つけることを防ぐためである。
【００８６】
さらに、テープカッター７１によってテープ本体２ａを良好に切断し、切断後、テープ本体２ａの先端を押圧ローラ６２（ローラ本体６３）の略中心位置（ローラ下面の最下位置）に位置せしめるため、テープカッター７１の左右のケース側壁をテープカッター７１より前方に突出させた突出部７５を形成する。この突出部７５は、ディスペンサ１１を前方に傾けてテープ本体２ａを切断するときに（図８Ｃ参照）、テープカッター７１の刃先を貼着対象物５の表面から浮かせてテープ本体２ａを容易に切断可能とする。
【００８７】
〔テープの貼着操作〕
図８Ａから図８Ｃは、本実施形態のディスペンサによるテープの貼着操作を順に示す工程図である。まず、筐体ケース１２を例えば手（図示せず）で持って貼着対象物５に押圧ローラ６２（ローラ本体６３）を向け（図８Ａ参照）、ローラ本体６３を押し付けることによりテープ２（テープ本体２ａ）の先端部を貼着対象物５に固定する。このとき、ローラ本体６３は当該押し付ける力によってケース１２の内部に向け後退し（図８Ｂの矢印Ａ参照）、テープ排出口６１からケース１２の外部へ突出はしているものの、元位置よりはケース１２内に引っ込んだ位置に上昇する。
【００８８】
そして、この状態でディスペンサ１１を後方へ引っ張り、貼着対象物５の表面に沿ってスライドさせる（図８Ｂ参照）。すると、ローラ本体６３が貼着対象物５の表面を転がり、これによりテープ排出口６１からテープ本体２ａが引き出されてローラ本体６３によって貼着対象物５に押し付けられて貼着される。ディスペンサ１１を後方へ移動させることによりテープ本体２ａが引っ張られるから、第一ローラの表面に位置するテープ本体２ａによって第一ローラ２１が回転され、この第一ローラ２１の両端部に設けたギア２３が回転してこれらのギア２３と噛み合っている第二ローラ３１のギア３３が回転し、第二ローラ３１が回転する。
【００８９】
第一ローラ２１が回転すると、テープロール１から第一ローラ２１の表面まで引き出されているテープ２が引っ張られ、テープロール１が回転してテープロール１からさらにテープ２が繰り出される。このとき、テープ２の表面に配されている剥離紙２ｂは、第一ローラ２１と第二ローラ３１の対向部（剥離ポイント）でテープ本体２ａから剥離し、回転する第二ローラ３１とガイド板８１との間に引き込まれて剥離紙排出口４２からケース外へ繰り出される。
【００９０】
所望の長さだけテープ本体２ａを貼着対象物５に貼り付けたら、図８Ｃに示すように、ストッパ５１の操作ボタン５４を押し（同図の矢印Ｂ参照／図８Ａ〜図８Ｃではコイルバネ５５は図示を省略した）、ストッパギア５２を第二ローラ３１のギア３３に噛み合わせることによってガイドローラ２１，３１の回転を停止させて粘着テープ２を固定すると共に、筐体ケース１２を前方へ傾け（同図の矢印Ｃ参照）、テープ排出口６１の前端部に設けたテープカッター７１によってテープ本体２ａを切断すれば良い。これで、対象物５へのテープ２ａの貼着を完了する。
【００９１】
尚、テープ本体２ａが切断されると、押圧ローラ６２がさらに飛び出して初期位置に復帰し、これによりテープカッター７１の刃先部分に位置していたテープ本体２ａの先端が引き戻されて、押圧ローラ６２（ローラ本体６３）の略中心位置（下面から見たときのローラ本体の略中央位置／ローラ本体下面の最下端位置）にテープ本体２ａの先端が位置せしめられることとなり、次に貼着を行うときには、そのままローラ本体６３を対象物５に押し付けるだけで容易に作業を行うことが出来る。
【００９２】
本実施形態のディスペンサは、両面テープのみならず片面にのみ粘着剤を備えた片面テープを装填し使用することも可能である。この場合、テープ収納部１３に当該片面テープのテープロールを装填し、テープを筐体ケース内で前記両面テープのテープ本体と同様に、ガイドピン８０の下面を通って（ガイドピン８０の下面を通さずに第一ローラ２１に直接持って行っても構わない）第一ローラ２１の上面に送り、その後、第一ローラ２１からケース下方に持っていってテープ排出口６１から引き出し、押圧ローラ６２（ローラ本体６３）の下面まで引き回せば良い。
【００９３】
ただしこの場合、テープの上面側は前記両面テープと異なり、粘着性を有さないから、押圧ローラ６２（ローラ本体６３）の表面に粘着性を持たせた方がテープ切断後、テープの先端部をローラ本体６３の表面に保持し、次の貼着操作をより容易に行わせることが出来る。
【００９４】
具体的には、ローラ本体６３の表面に粘着剤又は粘着材（以下、単に「粘着剤」という）を配するが、本発明者が検討したところ、ローラ本体６３の全面に粘着剤を配すると、押圧ローラ（ローラ本体６３）がテープを巻き込んでしまい、対象物表面にテープを貼着することが難しくなる事態が生じることがあった。そこで、ローラ本体６３の全面ではなく、部分的に（一部に）粘着剤を配することが望ましい。
【００９５】
より具体的には、例えば図９Ａおよび図９Ｂに示すように、ローラ本体８５の表面に粘着剤を配した粘着領域８６と、粘着剤を配さない非粘着領域８７とをローラ本体８５の周方向について交互に縞状に形成する。ローラ本体の表面に粘着剤を配する方法は、特に問わない。例えば樹脂からなるローラ本体８５の表面に凹部を形成し、この凹部に粘着剤（粘着材）８６を嵌め込むようにしても良いし、例えば粘着剤を粘着領域に塗布または貼付しても良い。さらに、逆にローラ本体の全周面に粘着剤を備えたローラ本体を先ず構成し、上記非粘着領域について物理・機械的に又は化学的に粘着力を喪失させる処理を施し、あるいはその他の方法よることも可能である。
【００９６】
さらに、上記図示の例では、粘着領域と非粘着領域とをローラの周方向について交互に（横縞状に）形成したが、これらの領域がローラの幅方向に交互に配列されるように（縦縞状に）形成することも可能である。また、ローラの幅方向両端部のみに、あるいはローラの幅方向中央部のみに上記粘着領域を配して他の部分は非粘着領域とするなど、ローラの周面に対する粘着領域と非粘着領域の配置方法は、様々な態様を採ることが出来る。
【００９７】
本発明ないし実施形態のディスペンサでは、上記押圧ローラを筐体ケースに対して着脱自在に設けておいても良く、粘着力の異なる複数種類の押圧ローラを用意しておき、装填するテープに合わせて交換して使用出来るようにしても良い。この場合、テープに最適な粘着力を備えた押圧ローラを当該交換テープと一緒に販売することも可能である。テープローラは交換可能とすることも出来るが、交換不能（所謂使い切りタイプ）とすることも可能である。さらに、テープロールをガイドローラ等の筐体ケース内のテープ送り機構と一緒に交換可能に構成しても良い。
【００９８】
本実施形態のディスペンサでは、前記図面に示したように、筐体ケースの側面を、テープ排出口部分の側壁部を含め、平坦に（平らに／平滑に）形成してある。したがって、テープを貼着するときに、筐体ケースの側面を定規に当てて真っ直ぐにテープを貼り進めるような使用方法を採ることが可能で、例えば塗装時に使用するマスキングテープ等を貼り付ける場合など、対象物に対し正確に真っ直ぐにテープを貼り付けることが出来る利点もある。
【００９９】
以上、本発明の実施の形態について説明したが、本発明はこれらに限定されるものではなく、特許請求の範囲に記載の範囲内で種々の変更を行うことができることは当業者に明らかである。
【０１００】
筐体ケースや各ローラ、切断刃（カッター刃）等の各部部材は、合成樹脂（プラスティック）により形成することが製造コストを低減する点からは好ましい。ガイドローラおよび押圧ローラの表面の構成材料としては、例えばシリコンを好ましく使用することが出来るが、例えば樹脂や金属等の材料の表面をフッ素またはテフロン（商標）等によりコーディングしたものとすることも出来る。
【０１０１】
さらに、本出願人は、先に別のテープディスペンサの出願を行ったが（特願２００６‐１４２１２１号／「粘着テープホルダ」）、この出願に係る発明（同出願の第１実施形態、第２実施形態、並びにそれらの変形例を含む）の各部構成（例えばガイドローラやカッター手段、円弧状の切断刃、押圧ローラ等）と、本願発明の各部構成（例えばガイドローラやガイドピン、テープカッター、押圧ローラ等）とを任意に適宜組み合わせてこれらの出願に開示した組み合わせ以外の構造を有する（各部構成の組み合わせが異なる）ディスペンサを構成することも可能である。
【図面の簡単な説明】
【０１０２】
【図１】本発明の一実施形態に係る粘着テープディスペンサをディスペンサの底面（下面）側から示す斜視図である。
【図２】前記実施形態に係る粘着テープディスペンサの内部構造をディスペンサの底面（下面）側から示す斜視図である。
【図３】前記実施形態に係る粘着テープディスペンサの分解斜視図である。
【図４】前記実施形態に係る粘着テープディスペンサのガイドローラおよびストッパ部分（ストッパによるガイドローラの非停止状態）を拡大して示す側面図である。
【図５】前記実施形態に係る粘着テープディスペンサのガイドローラおよびストッパ部分（ストッパによるガイドローラの停止状態）を拡大して示す側面図である。
【図６】前記実施形態に係る粘着テープディスペンサのガイドローラおよびストッパ部分を示す斜視図である。
【図７】前記実施形態に係る粘着テープディスペンサのテープ排出部を底面側から示す斜視図である。
【図８Ａ】前記実施形態に係る粘着テープディスペンサの動作（貼着対象物への押付け前の状態）を示す図である。
【図８Ｂ】前記実施形態に係る粘着テープディスペンサの動作（貼着対象物へのテープの貼着操作時の状態）を示す図である。
【図８Ｃ】前記実施形態に係る粘着テープディスペンサの動作（テープ切断操作時の状態）を示す図である。
【図９Ａ】前記実施形態に係る粘着テープディスペンサの押圧ローラの別の構成例を示す側面断面図である。
【図９Ｂ】前記図９Ａに示した押圧ローラの正面図である。
【図１０】ガイドローラの別の構成例を示す平面図である。
【符号の説明】
【０１０３】
１  テープロール
２  粘着テープ
２ａ  粘着テープ本体
２ｂ  剥離紙
５  貼着対象物
１１  粘着テープディスペンサ
１２  筐体ケース
１３  テープ収納部
１４  テープロール支持軸
１５  ワッシャ
２１  第一ローラ（ガイドローラ）
２２，３２  ガイドローラ本体部
２３，３３  ギア
２４，３４  ローラ支持軸
２５  テーパ面
３１  第二ローラ（ガイドローラ）
４２  剥離紙排出口
４３  剥離紙切断刃
５１  ストッパ
５２  ストッパギア
５３  レバー
５４  操作ボタン
５５，６５  コイルバネ
５６  レバー支持軸
６１  テープ排出口
６２  押圧ローラ
６３，８５  押圧ローラ本体
６４  ローラ支持部
６４ａ  係止突起
６６  突条
６６ａ  ストッパ突起
７１  テープカッター
７５  突出部
８０  ガイドピン
８１  剥離紙ガイド板
８６  粘着領域
８７  非粘着領域
【図１】
2008001456.tif 000003
【図２】
2008001456.tif 000004
【図３】
2008001456.tif 000005
【図４】
2008001456.tif 000006
【図５】
2008001456.tif 000007
【図６】
2008001456.tif 000008
【図７】
2008001456.tif 000009
【図８Ａ】
2008001456.tif 000010
【図８Ｂ】
2008001456.tif 000011
【図８Ｃ】
2008001456.tif 000012
【図９Ａ】
2008001456.tif 000013
【図９Ｂ】
2008001456.tif 000014
【図１０】
2008001456.tif 000015